(57)【要約】      （修正有）【課題】バルク層と、位置案内子がスパイラル状又は同心円状に形成された基準面とを有する光ディスク記録媒体に対し、上記バルク層への記録を行うための第１の光と、上記位置案内子に基づく位置制御を行うための第２の光とを共通の対物レンズを介して照射する光学ドライブ装置において、ｓｋｅｗや対物レンズシフトに起因して生じる上記第１,第２の光のスポット位置ずれをより高精度に補正する。【解決手段】バルク層５内における基準面Ｒｅｆの所定のトラックと同一半径位置となる位置に基準トラックＴＲ−ｂ１を形成しておく。その上で、上記基準トラックを用い、第１の光と第２の光のスポット位置をトラッキング方向において一致させた状態にて光軸調整部１４Ｂによる光軸の補正量を回転角度ごとにサンプリングし、記録時において、それらサンプリングした補正量を回転角度ごとに上記光軸調整部１４Ｂに指示してスポット位置ずれの補正を行う。【選択図】図５
2011198424.tif 000002
【特許請求の範囲】
【請求項１】
位置案内子としてのトラックがスパイラル状又は同心円状に形成された反射膜を有する基準面と、光照射に応じたマーク形成により情報記録が行われる記録層とを有すると共に、上記記録層内における、上記基準面上の所定のトラックと同一半径位置に対して基準トラックが形成された光ディスク記録媒体についての少なくとも記録を行う光学ドライブ装置であって、
上記記録層に対する情報記録を行うための第１の光と、上記基準面に形成された上記位置案内子に基づく位置制御を行うための第２の光とが入射され、これら第１の光と第２の光の双方を上記光ディスク記録媒体に対して照射する対物レンズと、
上記対物レンズを上記光ディスク記録媒体の半径方向に平行な方向であるトラッキング方向に駆動するトラッキング機構と、
上記対物レンズに入射する上記第１の光と上記第２の光の光軸の相対的な位置関係を変化させる光軸調整部と、
上記第１の光の上記光ディスク記録媒体からの反射光を受光して得られるトラッキングエラー信号から第１のトラッキングサーボ信号を生成する第１のトラッキングサーボ信号生成部と、
上記第２の光の上記光ディスク記録媒体からの反射光を受光して得られるトラッキングエラー信号から第２のトラッキングサーボ信号を生成する第２のトラッキングサーボ信号生成部と、
上記光軸調整部による光軸の補正量についての検出を行う補正量検出部と、
制御部とを備え、
上記制御部は、
上記トラッキング機構による上記第２のトラッキングサーボ信号に基づく上記第２の光についてのトラッキングサーボ制御により、上記第２の光のスポット位置を上記基準面上の上記所定のトラックに追従させつつ、上記光軸調整部により、上記第１のトラッキングサーボ信号に基づく上記第１の光についてのトラッキングサーボ制御を実行させて、上記第１の光のスポット位置を上記記録層内の上記基準トラックに追従させた状態において、上記補正量検出部により検出される上記光軸の補正量を、上記光ディスク記録媒体の回転角度ごとにサンプリングすると共に、
上記回転角度ごとにサンプリングした上記補正量を上記光軸調整部に指示して上記光軸の補正を実行させる
光学ドライブ装置。
【請求項２】
上記光ディスク記録媒体において、上記位置案内子は、少なくとも上記光ディスク記録媒体上の回転角度位置を表す情報を含む絶対位置情報の記録に伴い形成されたものであり、
上記光ディスク記録媒体に記録された上記絶対位置情報を検出する位置情報検出部をさらに備えると共に、
上記制御部は、上記位置情報検出部により検出される絶対位置情報に基づき上記補正量を上記回転角度ごとにサンプリングする
請求項１に記載の光学ドライブ装置。
【請求項３】
上記光軸調整部は、
上記対物レンズに入射する上記第１の光の光軸をシフトレンズの駆動によって平行移動させるビームシフタで構成され、
上記補正量検出部は、上記ビームシフタによる上記シフトレンズの移動量を検出する
請求項１に記載の光学ドライブ装置。
【請求項４】
上記補正量検出部は、上記シフトレンズの位置を検出する位置センサを有して構成される
請求項３に記載の光学ドライブ装置。
【請求項５】
反射膜を有さず深さ方向の所要の層位置に対して選択的にマーク記録が行われるバルク状の上記記録層を有する上記光ディスク記録媒体を対象として記録を行う
請求項１に記載の光学ドライブ装置。
【請求項６】
上記光ディスク記録媒体において、上記基準トラックは、上記記録層内における複数の層位置に形成されており、
上記制御部は、上記補正量のサンプリングを上記複数の層位置に形成された基準トラックに基づき上記層位置ごとに行う
請求項１に記載の光学ドライブ装置。
【請求項７】
上記記録層には、マーク記録を行うべき層位置として３以上の層位置が設定されており、且つ、上記基準トラックは、少なくとも最上層と最下層の２つの層位置に対して形成されており、
上記制御部は、
少なくとも上記最上層と上記最下層の２つの層位置に対して形成された上記基準トラックに基づいて上記補正量のサンプリングを行うと共に、それらの層位置でサンプリングした上記補正量を線形補間して生成した補正量を用いて、上記基準トラックが非形成とされる層位置におけるスポット位置ずれ補正が実行されるように上記光軸調整部を制御する
請求項６に記載の光学ドライブ装置。
【請求項８】
上記記録層には、マーク記録を行うべき層位置として３以上の層位置が設定されており、且つ、それらの各層位置に対して上記基準トラックが形成されており、
上記制御部は、
上記補正量のサンプリングを、それぞれの上記層位置に形成された基準トラックに基づき上記層位置ごとに行う
請求項６に記載の光学ドライブ装置。
【請求項９】
上記光ディスク記録媒体において、上記基準トラックは、上記記録層内における複数の半径位置に形成されており、
上記制御部は、上記補正量のサンプリングを、上記複数の半径位置に形成された基準トラックに基づき上記複数の半径位置ごとに行う
請求項１に記載の光学ドライブ装置。
【請求項１０】
位置案内子としてのトラックがスパイラル状又は同心円状に形成された反射膜を有する基準面と、光照射に応じたマーク形成により情報記録が行われる記録層とを有すると共に、上記記録層内における、上記基準面上の所定のトラックと同一半径位置に対して基準トラックが形成された光ディスク記録媒体についての少なくとも記録を行う光学ドライブ装置であり、上記記録層に対する情報記録を行うための第１の光と、上記基準面に形成された上記位置案内子に基づく位置制御を行うための第２の光とが入射され、これら第１の光と第２の光の双方を上記光ディスク記録媒体に対して照射する対物レンズと、上記対物レンズを上記光ディスク記録媒体の半径方向に平行な方向であるトラッキング方向に駆動するトラッキング機構と、上記対物レンズに入射する上記第１の光と上記第２の光の光軸の相対的な位置関係を変化させる光軸調整部と、上記第１の光の上記光ディスク記録媒体からの反射光を受光して得られるトラッキングエラー信号から第１のトラッキングサーボ信号を生成する第１のトラッキングサーボ信号生成部と、上記第２の光の上記光ディスク記録媒体からの反射光を受光して得られるトラッキングエラー信号から第２のトラッキングサーボ信号を生成する第２のトラッキングサーボ信号生成部と、上記光軸調整部による光軸の補正量についての検出を行う補正量検出部とを備えた光学ドライブ装置におけるスポット位置ずれ補正方法であって、
上記トラッキング機構による上記第２のトラッキングサーボ信号に基づく上記第２の光についてのトラッキングサーボ制御により、上記第２の光のスポット位置を上記基準面上の上記所定のトラックに追従させつつ、上記光軸調整部により、上記第１のトラッキングサーボ信号に基づく上記第１の光についてのトラッキングサーボ制御を実行させて、上記第１の光のスポット位置を上記記録層内の上記基準トラックに追従させた状態において、上記補正量検出部により検出される上記光軸の補正量を、上記光ディスク記録媒体の回転角度ごとにサンプリングするサンプリング手順と、
上記回転角度ごとにサンプリングした上記補正量を上記光軸調整部に指示して上記光軸の補正を実行させる補正制御手順と
を有するスポット位置ずれ補正方法。
【発明の詳細な説明】
【技術分野】
【０００１】
本発明は、光ディスク記録媒体についての少なくとも記録を行う光学ドライブ装置とそのスポット位置ずれ補正方法とに関するものであり、特に、マーク記録を行うための第１の光と、上記光ディスク記録媒体に形成された位置案内子に基づき位置制御を行うための第２の光とを共通の対物レンズを介して照射するように構成された光学ドライブ装置に適用して好適なものである。
【先行技術文献】
【特許文献】
【０００２】
【特許文献１】特開２００８−１３５１４４号公報
【特許文献２】特開２００８−１７６９０２号公報
【特許文献３】特開２００９−９６３５号公報
【背景技術】
【０００３】
光の照射により信号の記録／再生が行われる光記録媒体として、例えばＣＤ（Compact Disc）、ＤＶＤ（Digital Versatile Disc）、ＢＤ（Blu-ray Disc：登録商標）などのいわゆる光ディスクが普及している。
【０００４】
これらＣＤ、ＤＶＤ、ＢＤなど現状において普及している光記録媒体の次世代を担うべき光記録媒体に関して、先に本出願人は、上記特許文献１や上記特許文献２に記載されるようないわゆるバルク記録型の光記録媒体を提案している。
【０００５】
ここで、バルク記録とは、例えば図１２に示すようにして少なくともカバー層１０１とバルク層（記録層）１０２とを有する光記録媒体（バルク型記録媒体１００）に対し、逐次焦点位置を変えてレーザ光照射を行ってバルク層１０２内に多層記録を行うことで、大記録容量化を図る技術である。
【０００６】
このようなバルク記録に関して、上記特許文献１には、いわゆるマイクロホログラム方式と呼ばれる記録技術が開示されている。
マイクロホログラム方式は、次の図１３に示されるように、ポジ型マイクロホログラム方式とネガ型マイクロホログラム方式とに大別される。
マイクロホログラム方式では、バルク層１０２の記録材料として、いわゆるホログラム記録材料が用いられる。ホログラム記録材料としては、例えば光重合型フォトポリマ等が広く知られている。
【０００７】
ポジ型マイクロホログラム方式は、図１３（ａ）に示すように、対向する２つの光束（光束Ａ、光束Ｂ）を同位置に集光して微細な干渉縞（ホログラム）を形成し、これを記録マークとする手法である。
【０００８】
また、図１３（ｂ）に示すネガ型マイクロホログラム方式は、ポジ型マイクロホログラム方式とは逆の発想で、予め形成しておいた干渉縞をレーザ光照射により消去して、当該消去部分を記録マークとする手法である。
【０００９】
図１４は、ネガ型マイクロホログラム方式について説明するための図である、
ネガ型マイクロホログラム方式では、記録動作を行う前に、図１４（ａ）に示されるようにして予めバルク層１０２に対して干渉縞を形成するための初期化処理を行うことになる。具体的には、図中に示すように平行光による光束Ｃ，Ｄを対向して照射し、それらの干渉縞をバルク層１０２の全体に形成しておく。
このように初期化処理により予め干渉縞を形成しておいた上で、図１４（ｂ）に示されるようにして消去マークの形成による情報記録を行う。具体的には、任意の層位置にフォーカスを合わせた状態で記録情報に応じたレーザ光照射を行うことで、消去マークによる情報記録を行うものである。
【００１０】
また、本出願人は、マイクロホログラム方式とは異なるバルク記録の手法として、例えば特許文献２に開示されるようなボイド（空孔）を記録マークとして形成する記録手法も提案している。
ボイド記録方式は、例えば光重合型フォトポリマなどの記録材料で構成されたバルク層１０２に対して、比較的高パワーでレーザ光照射を行い、上記バルク層１０２内に空孔（ボイド）を記録する手法である。特許文献２に記載されるように、このように形成された空孔部分は、バルク層１０２内における他の部分と屈折率が異なる部分となり、それらの境界部分で光の反射率が高められることになる。従って上記空孔部分は記録マークとして機能し、これによって空孔マークの形成による情報記録が実現される。
【００１１】
このようなボイド記録方式は、ホログラムを形成するものではないので、記録にあたっては片側からの光照射を行えば済むものとできる。すなわち、ポジ型マイクロホログラム方式の場合のように２つの光束を同位置に集光して記録マークを形成する必要は無いものとできる。
また、ネガ型マイクロホログラム方式との比較では、初期化処理を不要にできるというメリットがある。
なお、特許文献２には、ボイド記録を行うにあたり記録前のプリキュア光の照射を行う例が示されているが、このようなプリキュア光の照射は省略してもボイドの記録は可能である。
【００１２】
ところで、上記のような各種の記録手法が提案されているバルク記録型（単にバルク型とも称する）の光ディスク記録媒体であるが、このようなバルク型の光ディスク記録媒体の記録層（バルク層）は、例えば反射膜が複数形成されるという意味での明示的な多層構造を有するものではない。すなわち、バルク層１０２においては、通常の多層ディスクが備えているような記録層ごとの反射膜、及び案内溝は設けられていない。
従って、先の図１２に示したバルク型記録媒体１００の構造のままでは、マークが未形成である記録時において、フォーカスサーボやトラッキングサーボを行うことができないことになる。
【００１３】
このため実際において、バルク型記録媒体１００に対しては、次の図１５に示すような案内溝を有する基準となる反射面（基準面）を設けるようにされている。
具体的には、カバー層１０１の下面側に例えばピットやグルーブの形成による案内溝（位置案内子）がスパイラル状又は同心円状に形成され、そこに選択反射膜１０３が成膜される。そして、このように選択反射膜１０３が成膜されたカバー層１０２の下層側に対し、図中の中間層１０４としての、例えばＵＶ硬化樹脂などの接着材料を介してバルク層１０２が積層される。
ここで、上記のようなピットやグルーブ等による案内溝の形成により、例えば半径位置情報や回転角度情報などの絶対位置情報（アドレス情報）の記録が行われている。以下の説明では、このような案内溝が形成され絶対位置情報の記録が行われた面（この場合は上記選択反射膜１０３の形成面）のことを、「基準面Ｒｅｆ」と称する。
【００１４】
また、上記のような媒体構造とした上で、バルク型記録媒体１００に対しては、次の図１６に示されるようにマークの記録（又は再生）のためのレーザ光（以下、録再用レーザ光、或いは単に録再光とも称する）とは別途に、位置制御用のレーザ光としてのサーボ用レーザ光（単にサーボ光とも称する）を照射するようにされる。
図示するようにこれら録再用レーザ光とサーボ用レーザ光とは、共通の対物レンズを介してバルク型記録媒体１００に照射される。
【００１５】
このとき、仮に、上記サーボ用レーザ光がバルク層１０２に到達してしまうと、当該バルク層１０２内におけるマーク記録に悪影響を与える虞がある。このため、従来よりバルク記録方式では、上記サーボ用レーザ光として、録再用レーザ光とは波長帯の異なるレーザ光を用いるものとした上で、基準面Ｒｅｆに形成される反射膜としては、サーボ用レーザ光は反射し、録再用レーザ光は透過するという波長選択性を有する選択反射膜１０３を設けるものとしている。
【００１６】
以上の前提を踏まえた上で、図１６を参照し、バルク型記録媒体１００に対するマーク記録時の動作について説明する。
先ず、案内溝や反射膜の形成されていないバルク層１０２に対して多層記録を行うとしたときには、バルク層１０２内の深さ方向においてマークを記録する層位置を何れの位置とするかを予め定めておくことになる。図中では、バルク層１０２内においてマークを形成する層位置（マーク形成層位置：情報記録層位置とも呼ぶ）として、第１情報記録層位置Ｌ１〜第５情報記録層位置Ｌ５の計５つの情報記録層位置Ｌが設定された場合を例示している。図示するように第１情報記録層位置Ｌ１は、案内溝が形成された選択反射膜１０３（基準面Ｒｅｆ）からフォーカス方向（深さ方向）に第１オフセットｏｆ-L1分だけ離間した位置として設定される。また、第２情報記録層位置Ｌ２、第３情報記録層位置Ｌ３、第４情報記録層位置Ｌ４、第５情報記録層位置Ｌ５は、それぞれ基準面Ｒｅｆから第２オフセットｏｆ-L2分、第３オフセットｏｆ-L3分、第４オフセットｏｆ-L4分、第５オフセットｏｆ-L5分だけ離間した位置として設定される。
【００１７】
マークが未だ形成されていない記録時においては、録再用レーザ光の反射光に基づいてバルク層１０２内の各層位置を対象としたフォーカスサーボ、トラッキングサーボを行うことはできない。従って、記録時における対物レンズのフォーカスサーボ制御、トラッキングサーボ制御は、サーボ用レーザ光の反射光に基づき、当該サーボ用レーザ光のスポット位置が基準面Ｒｅｆにおいて案内溝に追従するようにして行うことになる。
【００１８】
但し、上記録再用レーザ光は、マーク記録のために基準面Ｒｅｆよりも下層側に形成されたバルク層１０２に到達させる必要がある。このため、この場合の光学系には、対物レンズのフォーカス機構とは別途に、録再用レーザ光の合焦位置を独立して調整するための録再光用フォーカス機構が設けられることになる。
【００１９】
ここで、このような録再光用レーザ光の合焦位置を独立して調整するための機構を含めた、バルク型記録媒体１００の記録再生を行うための光学系の概要を図１７に示しておく。
図１７において、図１６にも示した対物レンズは、図示するように２軸アクチュエータによりバルク型記録媒体１００の半径方向（トラッキング方向）、及びバルク型記録媒体１００に接離する方向（フォーカス方向）に変位可能とされている。
【００２０】
この図１７において、録再用レーザ光の合焦位置を独立して調整するための機構は、図中のフォーカス機構（エキスパンダ）が該当する。具体的に、このエキスパンダとしてのフォーカス機構は、固定レンズと、レンズ駆動部により録再用レーザ光の光軸に平行な方向に変位可能に保持された可動レンズとを備えて構成されており、上記レンズ駆動部により上記可動レンズが駆動されることで、図中の対物レンズに入射する録再用レーザ光のコリメーションが変化し、それにより録再用レーザ光の合焦位置がサーボ用レーザ光とは独立して調整されるようになっている。
【００２１】
また、上述のように録再用レーザ光とサーボ用レーザ光とはそれぞれ波長帯が異なるものとされているので、これに対応しこの場合の光学系では、図中のダイクロイックプリズムにより、録再用レーザ光、サーボ用レーザ光のバルク型記録媒体１００からの反射光がそれぞれの系に分離されるように（つまりそれぞれの反射光検出を独立して行えるように）している。
また、往路光で考えた場合、上記ダイクロイックプリズムは、録再用レーザ光とサーボ用レーザ光とを同一軸上に合成して対物レンズに入射させる機能を有する。具体的にこの場合、録再用レーザ光は、図示するように上記エキスパンダを介しミラーで反射された後、上記ダイクロイックプリズムの選択反射面で反射されて対物レンズに対して入射する。一方、サーボ用レーザ光は、上記ダイクロイックプリズムの選択反射面を透過して対物レンズに対して入射する。
【００２２】
図１８は、バルク型記録媒体１００の再生時におけるサーボ制御について説明するための図である。
マーク記録が既に行われたバルク型記録媒体１００について再生を行う際は、記録時のように対物レンズの位置をサーボ用レーザ光の反射光に基づいて制御する必要性はない。すなわち、再生時においては、再生対象とする情報記録層位置Ｌ（再生時については情報記録層Ｌとも称する）に形成されたマーク列を対象として、録再用レーザ光の反射光に基づいて対物レンズのフォーカスサーボ制御、トラッキングサーボ制御を行えばよい。
【００２３】
上記のようにしてバルク記録方式においては、バルク型記録媒体１００に対し、マーク記録／再生を行うための録再用レーザ光と位置制御用光としてのサーボ光とを共通の対物レンズを介して（同一光軸上に合成して）照射するようにした上で、記録時においては、サーボ用レーザ光が基準面Ｒｅｆの位置案内子に追従するように対物レンズのフォーカスサーボ制御、トラッキングサーボ制御を行い且つ、録再光用フォーカス機構により録再用レーザ光の合焦位置を別途調整することによって、バルク層１０２内に案内溝が形成されていなくとも、バルク層１０２内の所要の位置（深さ方向及びトラッキング方向）に対してマーク記録ができるように図られている。
また、再生時には、既に記録されたマーク列に録再用レーザ光の焦点位置が追従するようにして当該録再用レーザ光の反射光に基づく対物レンズのフォーカスサーボ制御、トラッキングサーボ制御を行うことで、バルク層１０２内に記録されたマークの再生を行うことができる。
【００２４】
ここで、上記により説明してきたようなバルク記録方式を採用する場合には、いわゆるｓｋｅｗ（チルト）の発生や、ディスク偏芯に伴う対物レンズのレンズシフトの発生に伴い、録再用レーザ光とサーボ用レーザ光とに、記録面内方向におけるスポット位置ずれが生じることが知られている。
【００２５】
図１９は、ｓｋｅｗの発生に伴う録再用レーザ光とサーボ用レーザ光とのスポット位置ずれを模式的に示している。
図１９（ａ）に示すｓｋｅｗ無しの状態では、サーボ用レーザ光と録再用レーザ光のスポット位置は記録面内方向において一致している。これに対し、図１９（ｂ）に示すようなｓｋｅｗの発生に応じては、サーボ用レーザ光と録再用レーザ光とに光軸のずれが生じ、図中に示すようなスポット位置ずれΔｘが生じてしまう。
【００２６】
また図２０は、レンズシフトに伴う録再用レーザ光とサーボ用レーザ光とのスポット位置ずれを模式的に示している。
図２０（ａ）に示すレンズシフト無しの状態では、対物レンズが基準位置にあり、対物レンズの中心と該対物レンズに入射する各レーザ光の光軸ｃとが一致している。光学系は、このように対物レンズが基準位置にある状態において、各レーザ光の記録面内方向におけるスポット位置が一致するように設計されている。
【００２７】
これに対し、トラッキングサーボ制御により図２０（ｂ）に示すようにディスク偏芯に追従するようにして対物レンズが基準位置からシフトしてしまった場合（この場合は紙面左方向へのシフトとしている）には、図中に示すようなスポット位置ずれΔｘが生じる。
このようなレンズシフト起因のスポット位置ずれは、対物レンズに対するサーボ用レーザ光と録再用レーザ光の入射態様の差によって生じるものとなる。具体的には、サーボ用レーザ光は対物レンズに対して略平行光により入射するのに対し、録再用レーザ光は非平行光により入射することに起因するものである。
【００２８】
このようなｓｋｅｗやレンズシフトに起因したサーボ用レーザ光と録再用レーザ光のスポット位置ずれが生じることによっては、バルク層１０２内における情報記録位置のずれが生じてしまう。つまり、先の説明からも理解されるように、記録時における録再用レーザ光のスポット位置は、サーボ用レーザ光の反射光に基づく対物レンズのトラッキングサーボ制御が行われることで制御されるので、上記のようなスポット位置ずれの発生に応じては、バルク層１０２内の意図した位置に記録を行うことができなくなってしまうものである。
【００２９】
このとき、ｓｋｅｗ・偏芯の発生量やトラックピッチ（位置案内子の形成間隔）の設定によっては、隣接するトラック間で情報記録位置が重なってしまう虞がある。具体的にディスクの偏芯やｓｋｅｗは、スピンドルモータへのディスクのクランプのされかたなどにより、ディスクが装填されるごとに異なる態様で発生することがあるので、例えば或るディスクについてディスク付け替えを伴う追記を行ったとき、前回の記録時に生じていたｓｋｅｗ・偏芯の態様と追記時に生じるｓｋｅｗ・偏芯の態様とが異なることに起因して、既記録部分のマーク列と追記部分のマーク列とに重なりが生じたり、場合によっては交差してしまうという問題が生じるものである。
このようであると、正しく記録信号を再生することはできなくなる。
【００３０】
このようなマーク列の重なりや交差の発生を防止するための一つの手法として、基準面Ｒｅｆにおけるトラックピッチを広めに設定しておくということを挙げることができる。
しかしながら、このように基準面Ｒｅｆのトラックピッチを広げた場合には、当然のことながらバルク層１０２における記録容量の縮小化を招くものとなってしまう。
【００３１】
そこで、情報記録位置のずれ自体を防止するために、ｓｋｅｗやレンズシフトを検出した結果から、録再用レーザ光のスポット位置ずれを補正するということが考えられる。
具体的に、図１９や図２０を参照して理解されるようにｓｋｅｗの発生量とスポット位置ずれ量、及びレンズシフト量とスポット位置ずれ量とは比例関係となるので、ｓｋｅｗ量の検出結果からｓｋｅｗ起因分のスポット位置ずれ補正量を求め、またレンズシフト量の検出結果からレンズシフト起因分のスポット位置ずれ補正量を求めた上で、それらの和をｓｋｅｗとレンズシフトの双方に起因したスポット位置ずれを補正するための補正量として算出する。
このように算出した補正量に基づき、例えば録再用レーザ光の光軸を平行移動させるなどして、サーボ用レーザ光と録再用レーザ光との間のスポット位置ずれを補正する。
【発明の概要】
【発明が解決しようとする課題】
【００３２】
しかしながら、上記のようなスポット位置ずれ補正を行うとしたときは、ｓｋｅｗやレンズシフトの発生量を検出するための構成が必要となる。すなわちその分、装置のコストアップやサイズの大型化を招くものとなる。
【００３３】
また、先の図１９や図２０を参照すると、スポット位置ずれは、ｓｋｅｗ量やレンズシフト量に応じて変化するのみでなく、記録対象とする層位置に応じても変化するものであることが分かる。また、経年変化などによっても、検出したｓｋｅｗ量・レンズシフト量と実際に必要とされる補正量とに変化が生じる場合もある。
これらの点からも理解されるように、検出したｓｋｅｗ量・レンズシフト量に基づきスポット位置ずれを補正する手法では、情報記録位置のずれを適正に補正することができない虞がある。
【課題を解決するための手段】
【００３４】
上記のような問題点に鑑み、本発明では光学ドライブ装置として以下のように構成することとした。
すなわち、本発明の光学ドライブ装置は、位置案内子としてのトラックがスパイラル状又は同心円状に形成された反射膜を有する基準面と、光照射に応じたマーク形成により情報記録が行われる記録層とを有すると共に、上記記録層内における、上記基準面上の所定のトラックと同一半径位置に対して基準トラックが形成された光ディスク記録媒体についての少なくとも記録を行う光学ドライブ装置であって、上記記録層に対する情報記録を行うための第１の光と、上記基準面に形成された上記位置案内子に基づく位置制御を行うための第２の光とが入射され、これら第１の光と第２の光の双方を上記光ディスク記録媒体に対して照射する対物レンズを備える。
また、上記対物レンズを上記光ディスク記録媒体の半径方向に平行な方向であるトラッキング方向に駆動するトラッキング機構を備える。
また、上記対物レンズに入射する上記第１の光と上記第２の光の光軸の相対的な位置関係を変化させる光軸調整部を備える。
また、上記第１の光の上記光ディスク記録媒体からの反射光を受光して得られるトラッキングエラー信号から第１のトラッキングサーボ信号を生成する第１のトラッキングサーボ信号生成部を備える。
また、上記第２の光の上記光ディスク記録媒体からの反射光を受光して得られるトラッキングエラー信号から第２のトラッキングサーボ信号を生成する第２のトラッキングサーボ信号生成部を備える。
また、上記光軸調整部による光軸の補正量についての検出を行う補正量検出部を備える。
その上で、上記トラッキング機構による上記第２のトラッキングサーボ信号に基づく上記第２の光についてのトラッキングサーボ制御により、上記第２の光のスポット位置を上記基準面上の上記所定のトラックに追従させつつ、上記光軸調整部により、上記第１のトラッキングサーボ信号に基づく上記第１の光についてのトラッキングサーボ制御を実行させて、上記第１の光のスポット位置を上記記録層内の上記基準トラックに追従させた状態において、上記補正量検出部により検出される上記光軸の補正量を、上記光ディスク記録媒体の回転角度ごとにサンプリングすると共に、
上記回転角度ごとにサンプリングした上記補正量を上記光軸調整部に指示して上記光軸の補正を実行させる制御部を備えるものである。
【００３５】
上記のように本発明では、光ディスク記録媒体に形成された基準トラックを用いて、上記第１の光と上記第２の光のスポット位置を半径方向において一致させたいわば理想的な補正状態を作り上げ、その状態において、上記光軸調整部による光軸の補正量を回転角度ごとにサンプリングするものとしている。そして、このように回転角度ごとにサンプリングした補正量を用いてスポット位置ずれの補正を行うものとしている。
これによれば、スポット位置ずれの補正にあたりｓｋｅｗ量や対物レンズのレンズシフト量を検出するための構成を省略することができる。
また、上記のように理想的な補正状態を作り出して実際にサンプリングした補正量を用いた補正動作としていることで、経時変化などに応じた適正な補正を行うことができる共に、上記基準トラックの形成層に応じた適正な補正量による補正を行うこともできる。つまりこれらの点より、スポット位置ずれ（第１の光による情報記録位置のずれ）をより高精度に補正することができる。
【発明の効果】
【００３６】
上記のようにして本発明によれば、スポット位置ずれの補正にあたりｓｋｅｗ量や対物レンズのレンズシフト量を検出するための構成を省略することができると共に、第１の光による情報記録位置の補正を、より高精度に行うことができる。
ｓｋｅｗ・レンズシフト量を検出するための構成が不要となることで、装置の小型化やコストダウンが図られる。
【００３７】
また、情報記録位置の補正をより高精度に行うことができれば、その分、基準面におけるトラックピッチ（半径方向における位置案内子の形成間隔）は狭めることができ、その結果、記録容量の増大化が図られる。
【００３８】
また、トラックピッチを狭めることができることで、その分、アクセス時間の短縮化も図られる。つまり、トラックピッチが広い場合は、記録したデータ列の探索に多くの時間を要するものとなるが、本発明ではこれが緩和され、アクセス時間の短縮化が図られる。
【図面の簡単な説明】
【００３９】
【図１】実施の形態で記録／再生対象とする光ディスク記録媒体の断面構造図である。
【図２】光ディスク記録媒体に形成される基準トラックについて説明するための図である。
【図３】実施の形態としての光学ドライブ装置が備える光学ピックアップの内部構成を示した図である。
【図４】実施の形態としての光学ドライブ装置の全体的な内部構成を示した図である。
【図５】補正量のサンプリング時の動作について説明するための図である。
【図６】テーブル情報のデータ構造例を示した図である。
【図７】実施の形態としての補正量サンプリング動作を実現するための具体的な処理の手順を示したフローチャートである。
【図８】サンプリングした補正量に基づく補正動作時に対応して行われるべき具体的な処理の手順を示したフローチャートである。
【図９】基準トラックを複数の層位置に設ける変形例についての説明図である。
【図１０】基準トラックを複数の半径位置に設ける変形例についての説明図である。
【図１１】多層記録媒体の断面構造図である。
【図１２】バルク記録方式について説明するための図である。
【図１３】マイクロホログラム方式について説明するための図である。
【図１４】ネガ型マイクロホログラム方式について説明するための図である。
【図１５】基準面を備える実際のバルク型記録媒体の断面構造を例示した図である。
【図１６】バルク型記録媒体に対するマーク記録時の動作について説明するための図である。
【図１７】バルク型記録媒体の記録再生を行うための光学系の概要を示した図である。
【図１８】バルク型記録媒体の再生時におけるサーボ制御について説明するための図である。
【図１９】ｓｋｅｗに伴う録再用レーザ光とサーボ用レーザ光とのスポット位置ずれを模式的に示した図である。
【図２０】レンズシフトに伴う録再用レーザ光とサーボ用レーザ光とのスポット位置ずれを模式的に示した図である。
【発明を実施するための形態】
【００４０】
以下、発明を実施するための最良の形態（以下実施の形態とする）について説明していく。
なお、説明は以下の順序で行うものとする。
＜１．実施の形態で記録／再生対象とする光ディスク記録媒体＞
＜２．光学ドライブ装置の構成＞
＜３．実施の形態としての補正動作例＞
＜４．処理手順＞
＜５．まとめ＞
＜６．変形例＞
【００４１】
＜１．実施の形態で記録／再生対象とする光ディスク記録媒体＞
図１は、実施の形態で記録／再生対象とする光ディスク記録媒体の断面構造図を示している。
実施の形態で記録／再生対象とする光ディスク記録媒体は、いわゆるバルク記録型の光記録媒体とされ、以下、バルク型記録媒体１と称する。
バルク型記録媒体１は、ディスク状の光記録媒体とされ、回転駆動されるバルク型記録媒体１に対するレーザ光照射が行われてマーク記録（情報記録）が行われる。また、記録情報の再生としても、回転駆動されるバルク型記録媒体１に対してレーザ光を照射して行われる。
なお光記録媒体とは、光の照射により情報の記録／再生が行われる記録媒体を総称したものである。
【００４２】
図１に示されるように、バルク型記録媒体１には、上層側から順にカバー層２、選択反射膜３、中間層４、バルク層５が形成されている。
ここで、本明細書において「上層側」とは、後述する実施の形態としての光学ドライブ装置（記録再生装置１０）側からのレーザ光が入射する面を上面としたときの上層側を指す。
【００４３】
また、本明細書においては「深さ方向」という語を用いるが、この「深さ方向」とは、上記「上層側」の定義に従った上下方向と一致する方向（すなわち光学ドライブ装置側からのレーザ光の入射方向に平行な方向：フォーカス方向）を指すものである。
【００４４】
バルク型記録媒体１において、上記カバー層２は、例えばポリカーボネートやアクリルなどの樹脂で構成され、図示するようにその下面側には、記録／再生位置を案内するための位置案内子として案内溝が形成され、図のように凹凸の断面形状が与えられている。位置案内子は、スパイラル状又は同心円状に形成される。本例の場合において、上記位置案内子はスパイラル状に形成されているものとして以下の説明を続ける。
上記案内溝としては、連続溝（グルーブ）、又はピット列で形成される。例えば案内溝がピット列で形成される場合、ピットとランドの長さの組み合わせにより位置情報（絶対位置情報：ディスク上での回転角度位置を表す情報としての回転角度情報や、半径位置情報など）が記録される。或いは、案内溝がグルーブとされる場合、当該グルーブを周期的に蛇行（ウォブル）させて形成することで、該蛇行の周期情報により位置情報の記録が行われる。
カバー層２は、例えばこのような案内溝（凹凸形状）が形成されたスタンパを用いた射出成形などにより生成される。
【００４５】
また、上記案内溝が形成された上記カバー層２の下面側には、選択反射膜３が成膜される。
ここで、前述もした通りバルク記録方式では、記録層としてのバルク層５に対してマーク記録／再生を行うための光（録再用レーザ光）とは別に、上記のような案内溝に基づきトラッキングやフォーカスのエラー信号を得るための光（サーボ用レーザ光）を別途に照射するものとされている。
このとき、仮に、上記サーボ用レーザ光がバルク層５に到達してしまうと、当該バルク層５内におけるマーク記録に悪影響を与える虞がある。このため、サーボ用レーザ光は反射し、録再用レーザ光は透過するという選択性を有する反射膜が必要とされている。
従来よりバルク記録方式では、録再用レーザ光とサーボ用レーザ光とはそれぞれ波長帯の異なるレーザ光を用いるようにされており、これに対応すべく、上記選択反射膜３としては、サーボ用レーザ光と同一の波長帯の光は反射し、それ以外の波長による光は透過するという、波長選択性を有する選択反射膜が用いられる。
【００４６】
上記選択反射膜３の下層側には、例えばＵＶ硬化樹脂などの接着材料で構成された中間層４を介して、記録層としてのバルク層５が積層（接着）されている。
バルク層５の形成材料（記録材料)としては、例えば先に説明したポジ型マイクロホログラム方式やネガ型マイクロホログラム方式、ボイド記録方式など、採用するバルク記録の方式に応じて適宜最適なものが採用されればよい。
なお、本発明で対象とする光ディスク記録媒体に対するマーク記録方式は特に限定されるべきものではなく、バルク記録方式の範疇において任意の方式が採用されればよい。以下の説明においては一例として、ボイド記録方式が採用される場合を例示する。
【００４７】
ここで、上記のような構成を有するバルク型記録媒体１において、上述の案内溝としての位置案内子が形成された選択反射膜３は、後述もするようにサーボ用レーザ光に基づく録再用レーザ光の位置制御を行うにあたっての基準となる反射面となる。この意味で、選択反射膜３が形成された面を以下、基準面Ｒｅｆと称する。
【００４８】
先の図１６においても説明したように、バルク型の光記録媒体においては、バルク層内に多層記録を行うために、予め情報記録を行うべき各層位置（情報記録層位置Ｌ）が設定される。バルク型記録媒体１においても、情報記録層位置Ｌについては、先の図１６の場合と同様に、基準面Ｒｅｆからそれぞれ深さ方向に第１オフセットｏｆ-L1、第２オフセットｏｆ-L2、第３オフセットｏｆ-L3、第４オフセットｏｆ-L4、第５オフセットｏｆ-L5分だけ離間した第１情報記録層位置Ｌ、第２情報記録層位置Ｌ２、第３情報記録層位置Ｌ３、第４情報記録層位置Ｌ４、第５情報記録層位置Ｌ５が設定されているとする。
基準面Ｒｅｆからの各層位置Ｌへのオフセットｏｆ-Lの情報は、後述する記録再生装置１０におけるコントローラ４０に対して設定される。
【００４９】
また、本実施の形態のバルク型記録媒体１には、バルク層５内に図２に示すような基準トラック（バルク層内基準トラック）ＴＲ-blが形成される。
このようなバルク層５内における基準トラックＴＲ-blは、基準面Ｒｅｆにおいて形成されたトラックのうちから選出した或る１本のトラック（基準面上基準トラックＴＲ-rf、或いは単に基準トラックＴＲ-rfとも表記する）と同一半径位置となるように形成されている。
一例として、本例の場合における基準トラックＴＲ-blは、図のように基準面Ｒｅｆから深さ方向にオフセットｏｆ-L3分だけ離間した位置に形成されているとする。すなわちこの場合における基準トラックＴＲ-blは情報記録層位置Ｌ３に形成されている。
【００５０】
基準トラックＴＲ-blの形成は、例えば高精度に調整されたライターを用いてマーク列を形成することで行うことができる。具体的には、ｓｋｅｗやレンズシフトに起因した録再用レーザ光とサーボ用レーザ光のスポット位置ずれをほぼ完全に補正することができるように高精度に調整されたライターを用いるものである。
なお、基準トラックＴＲ-blを基準面Ｒｅｆにおける基準トラックＴＲ-rfと同一半径位置となるように正確に形成するための手法については上記手法以外にも種々考えられ、ここで特に限定されるべきものではない。
また、基準トラックＴＲ-blはマーク列（断続的に形成されたマーク）ではなくＤＣマーク（連続的に形成されたマーク）により形成することもできる。
【００５１】
＜２．光学ドライブ装置の構成＞
図３及び図４は、図１及び図２に示したような構造を有するバルク型記録媒体１に対する記録／再生を行う実施の形態としての光学ドライブ装置（記録再生装置１０と称する）の内部構成について説明するための図である。
図３は、実施の形態の記録再生装置１０が備える光学ピックアップＯＰの内部構成を主に示し、図４は光学ピックアップＯＰを含む記録再生装置１０の全体的な内部構成を示す。
【００５２】
図３において、記録再生装置１０に装填されたバルク型記録媒体１は、当該記録再生装置１０における所定位置においてそのセンターホールがクランプされるようにしてセットされ、図示は省略したスピンドルモータによる回転駆動が可能な状態に保持される。
光学ピックアップＯＰは、上記スピンドルモータにより回転駆動されるバルク型記録媒体１に対して録再用レーザ光、サーボ用レーザ光を照射するために設けられる。
【００５３】
光学ピックアップＯＰ内には、マークによる情報記録、及びマークにより記録された情報の再生を行うための録再用レーザ光の光源である録再用レーザ１１と、基準面Ｒｅｆに形成された案内溝を利用した位置制御を行うための光であるサーボ用レーザ光の光源であるサーボ用レーザ２４とが設けられる。
ここで、前述のように録再用レーザ光とサーボ用レーザ光とはそれぞれ波長が異なる。本例の場合、録再用レーザ光の波長はおよそ４０５ｎｍ程度（いわゆる青紫色レーザ光）、サーボ用レーザ光の波長はおよそ６５０ｎｍ程度（赤色レーザ光）とされる。
【００５４】
また、光学ピックアップＯＰ内には、録再用レーザ光とサーボ用レーザ光のバルク型記録媒体１への出力端となる対物レンズ２０が設けられる。  
さらには、上記録再用レーザ光のバルク型記録媒体１からの反射光を受光するための録再光用受光部２３と、サーボ用レーザ光のバルク型記録媒体１からの反射光を受光するためのサーボ光用受光部２９とが設けられる。
【００５５】
その上で、光学ピックアップＯＰ内においては、上記録再用レーザ１１より出射された録再用レーザ光を上記対物レンズ２０に導くと共に、上記対物レンズ２０に入射した上記バルク型記録媒体１からの録再用レーザ光の反射光を上記録再光用受光部２３に導くための光学系が形成される。
【００５６】
具体的に、上記録再用レーザ１１より出射された録再用レーザ光は、コリメーションレンズ１２を介して平行光となるようにされた後、偏光ビームスプリッタ１３に入射する。偏光ビームスプリッタ１３は、このように録再用レーザ１１側から入射した録再用レーザ光については透過するように構成されている。
【００５７】
上記偏光ビームスプリッタ１３を透過した録再用レーザ光は、シフトレンズ１４Ａ、可動レンズ１５、及びレンズ駆動部１６から成るエキスパンダに入射する。このエキスパンダは、光源である録再用レーザ１１に近い側がシフトレンズ１４Ａとされ、録再用レーザ１１に遠い側に可動レンズ１５が配置され、レンズ駆動部１６によって上記可動レンズ１５が録再用レーザ光の光軸に平行な方向に駆動されることで、録再用レーザ光について独立したフォーカス制御を行う。このエキスパンダは、前述した録再光用フォーカス機構に相当するものである（図１７を参照）。
後述もするように、当該録再光用フォーカス機構（上記レンズ駆動部１６）は、図４に示されるコントローラ４０によって、対象とする情報記録層位置Ｌに対応して設定されたオフセットｏｆ-Lの値に応じて駆動される。
【００５８】
またこの場合は、上記録再光用フォーカス機構におけるシフトレンズ１４Ａは、図中のレンズ駆動部１４Ｂにより入射光軸に直交する方向に変位可能に保持されている。この場合、レンズ駆動部１４Ｂは、バルク型記録媒体１の半径方向に平行な方向に上記シフトレンズ１４Ａを変位させるように構成されている。すなわち、当該レンズ駆動部１４Ｂによるシフトレンズ１４Ａのシフトにより、対物レンズ２０を介してバルク型記録媒体１に照射される録再用レーザ光の光軸を、上記半径方向に平行な方向にシフトさせることができるようにされているものである。
ここで、このように録再用レーザ光の光軸をシフトさせるために設けられた上記レンズ駆動部１４Ｂについては、以下、ビームシフタ１４Ｂとも称する。
ビームシフタ１４Ｂは、例えばヴォイスコイルモータ（ＶＣＭ）により上記シフトレンズ１４Ａをシフトさせるように構成され、後述するドライバ３９からの駆動信号Ｄ-bsによって駆動制御される。
【００５９】
上記録再光用フォーカス機構を形成するシフトレンズ１４Ａ及び可動レンズ１５を介した録再用レーザ光は、図のようにミラー１７にて反射された後、１／４波長板１８を介してダイクロイックプリズム１９に入射する。
ダイクロイックプリズム１９は、その選択反射面が、録再用レーザ光と同波長帯の光は反射し、それ以外の波長による光は透過するように構成されている。従って上記のようにして入射した録再用レーザ光は、ダイクロイックプリズム１９にて反射される。
【００６０】
上記ダイクロイックプリズム１９で反射された録再用レーザ光は、図示するようにして対物レンズ２０を介してバルク型記録媒体１に対して照射される。
対物レンズ２０に対しては、当該対物レンズ２０をフォーカス方向（バルク型記録媒体１に対して接離する方向）、及びトラッキング方向（上記フォーカス方向に直交する方向：バルク型記録媒体１の半径方向）に変位可能に保持する２軸アクチュエータ２１が設けられる。
２軸アクチュエータ２１には、フォーカスコイル、トラッキングコイルが備えられ、それぞれに駆動信号（後述する駆動信号ＦＤ、ＴＤ）が与えられることで、対物レンズ２０をフォーカス方向、トラッキング方向にそれぞれ変位させる。
【００６１】
ここで、再生時においては、上記のようにしてバルク型記録媒体１に対して録再用レーザ光が照射されることに応じて、バルク型記録媒体１（バルク層５内の再生対象の情報記録層Ｌに記録されたマーク列）より上記録再用レーザ光の反射光が得られる。このように得られた録再用レーザ光の反射光は、対物レンズ２０を介してダイクロイックプリズム１９に導かれ、当該ダイクロイックプリズム１９にて反射される。
ダイクロイックプリズム１９で反射された録再用レーザ光の反射光は、１／４波長板１８→ミラー１７→録再光用フォーカス機構（可動レンズ１５→シフトレンズ１４Ａ）を介した後、偏光ビームスプリッタ１３に入射する。
【００６２】
ここで、このように偏光ビームスプリッタ１３に入射する録再用レーザ光の反射光（復路光）は、１／４波長板１８による作用とバルク型記録媒体１での反射時の作用とにより、録再用レーザ光１１側から偏光ビームスプリッタ１３に入射した録再用レーザ光（往路光）とはその偏光方向が９０度異なるようにされる。この結果、上記のようにして入射した録再用レーザ光の反射光は、偏光ビームスプリッタ１３にて反射される。
【００６３】
このように偏光ビームスプリッタ１３にて反射された録再用レーザ光の反射光は、集光レンズ２２を介して録再光用受光部２３の受光面上に集光する。
【００６４】
また、光学ピックアップＯＰ内には、上記により説明した録再用レーザ光についての光学系の構成に加えて、サーボ用レーザ２４より出射されたサーボ用レーザ光を対物レンズ２０に導き且つ、上記対物レンズ２０に入射したバルク型記録媒体１からのサーボ用レーザ光の反射光をサーボ光用受光部２９に導くための光学系が形成される。
図示するように上記サーボ用レーザ２４より出射されたサーボ用レーザ光は、コリメーションレンズ２５を介して平行光となるようにされた後、偏光ビームスプリッタ２６に入射する。偏光ビームスプリッタ２６は、このようにサーボ用レーザ２４側から入射したサーボ用レーザ光（往路光）は透過するように構成される。
【００６５】
上記偏光ビームスプリッタ２６を透過したサーボ用レーザ光は、１／４波長板２７を介してダイクロイックプリズム１９に入射する。
先に述べたように、ダイクロイックプリズム１９は、録再用レーザ光と同波長帯の光は反射し、それ以外の波長による光は透過するように構成されているため、上記サーボ用レーザ光はダイクロイックプリズム１９を透過し、対物レンズ２０を介してバルク型記録媒体１に照射される。
【００６６】
また、このようにバルク型記録媒体１にサーボ用レーザ光が照射されたことに応じて得られる当該サーボ用レーザ光の反射光（基準面Ｒｅｆからの反射光）は、対物レンズ２０を介した後ダイクロイックプリズム１９を透過し、１／４波長板２７を介して偏光ビームスプリッタ２６に入射する。
先の録再用レーザ光の場合と同様にして、このようにバルク型記録媒体１側から入射したサーボ用レーザ光の反射光（復路光）は、１／４波長板２７の作用とバルク型記録媒体１での反射時の作用とにより、往路光とはその偏光方向が９０度異なるものとされ、従って復路光としてのサーボ用レーザ光の反射光は偏光ビームスプリッタ２６にて反射される。
【００６７】
偏光ビームスプリッタ２６にて反射されたサーボ用レーザ光の反射光は、集光レンズ２８を介してサーボ光用受光部２９の受光面上に集光する。
【００６８】
ここで、図示による説明は省略するが、実際において記録再生装置１０には、上記により説明した光学ピックアップＯＰ全体をトラッキング方向にスライド駆動するスライド駆動部が設けられ、当該スライド駆動部による光学ピックアップＯＰの駆動により、レーザ光の照射位置を広範囲に変位させることができるようにされている。
【００６９】
また、この場合の光学ピックアップＯＰ内においては、位置センサ３１が設けられている。
位置センサ３１は、シフトレンズ１４Ａの近傍に設けられ、当該シフトレンズ１４Ａのトラッキング方向における位置（基準位置からの変位量）を検出する。位置センサ３１によるシフトレンズ１４Ａについての位置検出信号ｐｓ-shは、コントローラ４０に対して供給される。
【００７０】
なお、確認のために述べておくと、当該位置センサ３１による位置検出信号ｐｓ-shは、録再用レーザ光とサーボ用レーザ光とのスポット位置ずれを補正する際の、光軸の補正量を表す信号として機能するものである。
【００７１】
記録再生装置１０の全体的な内部構成は、図４に示すものとなる。
なお、この図４においては、光学ピックアップＯＰの内部構成については一部のみを抽出して示している。
【００７２】
図４において、記録再生装置１０には、バルク層５を対象とした記録／再生や、マーク記録／再生時における対物レンズ２０のフォーカス／トラッキング制御を行うための信号処理系の構成として、図中の記録処理部３２、録再光用マトリクス回路３３、再生処理部３４、録再光用サーボ回路３５、サーボ光用マトリクス回路３６、位置情報検出部３７、及びサーボ光用サーボ回路３８が設けられている。
【００７３】
記録処理部３２には、バルク型記録媒体１に対して記録すべきデータ（記録データ）が入力される。記録処理部３２は、入力された記録データに対してエラー訂正符号の付加や所定の記録変調符号化を施すなどして、バルク型記録媒体１に実際に記録される例えば「０」「１」の２値データ列である記録変調データ列を得る。
記録処理部３２は、このように生成した記録変調データ列に基づく記録パルスＲＣＰにより、光学ピックアップＯＰ内の録再用レーザ１１の発光駆動を行う。
【００７４】
録再光用マトリクス回路３３は、図３に示した録再光用受光部２３としての複数の受光素子からの受光信号ＤＴ-rp（出力電流）に対応して電流電圧変換回路、マトリクス演算／増幅回路等を備え、マトリクス演算処理により必要な信号を生成する。
具体的には、上述した記録変調データ列を再生した再生信号に相当する高周波信号（以降、再生信号ＲＦと称する）、フォーカスサーボ制御のためのフォーカスエラー信号ＦＥ-rp、トラッキングサーボ制御のためのトラッキングエラー信号ＴＥ-rpを生成する。
【００７５】
録再光用マトリクス回路３３にて生成された上記再生信号ＲＦは、再生処理部３４に供給される。
また、上記フォーカスエラー信号ＦＥ-rp、上記トラッキングエラー信号ＴＥ-rpは、録再光用サーボ回路３５に対して供給される。
【００７６】
再生処理部３４は、上記再生信号ＲＦについて、２値化処理や記録変調符号の復号化・エラー訂正処理など、上述した記録データを復元するための再生処理を行い、上記記録データを再生した再生データを得る。
【００７７】
また、録再光用サーボ回路３５は、マトリクス回路３３から供給されるフォーカスエラー信号ＦＥ-rp、トラッキングエラー信号ＴＥ-rpに基づきフォーカスサーボ信号ＦＳ-rp、トラッキングサーボ信号ＴＳ-rpをそれぞれ生成し、これらフォーカスサーボ信号ＦＳ-rp、トラッキングサーボ信号ＴＳ-rpに基づくフォーカス駆動信号ＦＤ-rp、トラッキング駆動信号ＴＤ-rpに基づき、２軸アクチュエータ２１のフォーカスコイル、トラッキングコイルを駆動することで、録再用レーザ光についてのフォーカスサーボ制御、トラッキングサーボ制御を実現する。
なお先の説明からも理解されるように、このような録再用レーザ光の反射光に基づく２軸アクチュエータ２１（対物レンズ２０）のサーボ制御は、再生時において行われるものである。
【００７８】
また、録再光用サーボ回路３５は、再生時に対応してコントローラ４０から為される指示に応じて、トラッキングサーボループをオフとして上記トラッキングコイルにジャンプパルスを与えることでトラックジャンプ動作を実現したり、トラッキングサーボの引き込み制御等も行う。また、フォーカスサーボの引き込み制御等も行う。
【００７９】
なお、録再光用サーボ回路３５は、後述する補正量のサンプリング動作時に対応してコントローラ４０から為される指示に応じ、上記トラッキングサーボ信号ＴＳ-rpに基づき生成したトラッキング駆動信号ＴＤ-rpをドライバ３９に対して出力することになるが、これについては後述する。
【００８０】
また、サーボ用レーザ光の反射光についての信号処理系において、サーボ光用マトリクス回路３６は、図３に示したサーボ光用受光部２９における複数の受光素子からの受光信号ＤＴ-svに基づき、必要な信号を生成する。
具体的にサーボ光用マトリクス回路３６は、フォーカス／トラッキングの各サーボ制御のためのフォーカスエラー信号ＦＥ-sv、トラッキングエラー信号ＴＥ-svを生成する。
また、基準面Ｒｅｆにおいて記録された絶対位置情報（アドレス情報）の検出を行うための位置情報検出用信号Ｄｐｓを生成する。例えば絶対位置情報がピット列により記録される場合、位置情報検出用信号Ｄｐｓとしては和信号を生成する。或いは、ウォブリンググルーブにより絶対位置情報が記録される場合、位置情報検出用信号Ｄｐｓとしてはプッシュプル信号を生成する。
【００８１】
上記位置情報検出用信号Ｄｐｓは、位置情報検出部３７に供給される。位置情報検出部３７は、上記位置情報検出用信号Ｄｐｓに基づき基準面Ｒｅｆに記録された絶対位置情報を検出する。検出された絶対位置情報はコントローラ４０に対して供給される。
【００８２】
また、サーボ光用マトリクス回路３６にて生成されたフォーカスエラー信号ＦＥ-sv、トラッキングエラー信号ＴＥ-svは、サーボ光用サーボ回路３８に対して供給される。
サーボ光用サーボ回路３８は、フォーカスエラー信号ＦＥ-sv、トラッキングエラー信号ＴＥ-svに基づきフォーカスサーボ信号ＦＳ-sv、トラッキングサーボ信号ＴＳ-svをそれぞれ生成する。
そして、記録時には、コントローラ４０からの指示に応じて、上記フォーカスサーボ信号ＦＳ-sv、トラッキングサーボ信号ＴＳ-svに基づき生成したフォーカス駆動信号ＦＤ-sv、トラッキング駆動信号ＴＤ-svに基づいて、２軸アクチュエータ２１のフォーカスコイル、トラッキングコイルを駆動することで、サーボ用レーザ光についてのフォーカスサーボ制御、トラッキングサーボ制御を実現する。
【００８３】
また、サーボ光用サーボ回路３８は、記録時に対応してコントローラ４０から為される指示に応じて、トラッキングサーボループをオフとして２軸アクチュエータ２１のトラッキングコイルにジャンプパルスを与えることでトラックジャンプ動作を実現したり、トラッキングサーボの引き込み制御等も行う。また、基準面Ｒｅｆに対するフォーカスサーボの引き込み制御等も行う。
【００８４】
コントローラ４０は、例えばＣＰＵ（Central Processing Unit）やＲＯＭ（Read Only Memory）、ＲＡＭ（Random Access Memory）などのメモリ（記憶装置）を備えたマイクロコンピュータで構成され、例えば上記ＲＯＭ等に記憶されたプログラムに従った制御・処理を実行することで、記録再生装置１０の全体制御を行う。
具体的にコントローラ４０は、前述のようにして予め各層位置に対応して設定されたオフセットｏｆ-Lの値に基づいて、録再用レーザ光の合焦位置の制御（設定）を行う。より具体的に、コントローラ４０は、記録対象とする情報記録層位置Ｌに対応して設定されたオフセットｏｆ-Lの値に基づき、光学ピックアップＯＰ内のレンズ駆動部１６を駆動することで、深さ方向における記録位置の選択を行う。
【００８５】
また、コントローラ４０は、先の図１６〜図１８にて説明したような記録／再生時の対物レンズ２０のサーボ制御切り替えを実現するための制御も行う。具体的にコントローラ４０は、記録時には、サーボ光用サーボ回路３８に対してフォーカス駆動信号ＦＤ-sv、トラッキング駆動信号ＴＤ-svの出力を指示し、また録再光用サーボ回路３５にはフォーカス駆動信号ＦＤ-rp、トラッキング駆動信号ＴＤ-rpの出力を停止するように指示を行う。
一方、再生時には、録再光用サーボ回路３５に対してフォーカス駆動信号ＦＤ-rp、トラッキング駆動信号ＴＤ-rpの出力を指示し、サーボ光用サーボ回路３８に対しては、フォーカス駆動信号ＦＤ-sv、トラッキング駆動信号ＴＤ-svの出力を停止するように指示を行う。
【００８６】
またコントローラ４０は、サーボ光用サーボ回路３８に対するシーク動作制御を行う。すなわち、サーボ用レーザ光のスポット位置を基準面Ｒｅｆ上における所定のアドレスに移動させるようにサーボ回路３８に対する指示を行う。
【００８７】
また、この場合のコントローラ４０は、後の図７や図８にて説明する処理動作を実行することで、実施の形態としての補正動作を実現するものとなるが、これについては後述する。
【００８８】
ドライバ３９は、後述する補正動作時に対応してコントローラ４０から指示される補正量の値に基づく駆動信号Ｄ-bsを生成し、該駆動信号Ｄ-bsに基づき光学ピックアップＯＰ内のビームシフタ１４Ｂを駆動制御する。これにより、ｓｋｅｗや対物レンズ２０のレンズシフトに起因した録再用レーザ光とサーボ用レーザ光とのスポット位置ずれを補正するようにされている。
またドライバ３９は、後述する補正量のサンプリング時には、上述した録再光用サーボ回路３５より供給されるトラッキング駆動信号ＴＤ-rpに基づきビームシフタ１４Ｂを駆動制御することで、録再用レーザ光についてのトラッキングサーボ制御を実現するようにされる。
【００８９】
＜３．実施の形態としての補正動作例＞
ここで、上記により説明したように、本実施の形態の記録再生装置１０としても、位置案内子としてのトラックがスパイラル状又は同心円状に形成された反射膜を有する基準面と、光照射に応じたマーク形成により情報記録が行われる記録層とを有する光ディスク記録媒体について記録を行う場合において、録再用レーザ光とサーボ用レーザ光とを共通の対物レンズを介して光ディスク記録媒体に照射する共に、上記録再用レーザ光による情報記録位置を、上記基準面に形成された位置案内子を対象とした上記サーボ用レーザ光による対物レンズのトラッキングサーボ制御を行うことによって制御するようにされている。
このような構成が採られる場合には、先の図１９や図２０にて説明したように、ｓｋｅｗや対物レンズのレンズシフトに起因して、サーボ用レーザ光と録再用レーザ光とのスポット位置ずれ（つまり情報記録位置のずれ）が生じるものとなる。
本実施の形態は、このような情報記録位置のずれを、ｓｋｅｗやレンズシフトの検出部を不要としながら、より高精度に補正する手法を提案するものである。
【００９０】
具体的に、本実施の形態では、先の図２に示したように予め記録層（バルク層５）に形成された基準トラックＴＲ-blを用いて、録再用レーザ光のスポット位置をトラッキング方向においてサーボ用レーザ光のスポット位置と強制的に一致させた状態とし、その状態において、回転角度ごとに必要とされる補正量をサンプリングする。そして、このようにサンプリングした補正量を回転角度ごとに逐次設定してスポット位置ずれの補正を行う。
【００９１】
図５は、本実施の形態としての補正量のサンプリング動作について説明するための図である。
なおこの図５においては、バルク型記録媒体１と、先の図２に示した光学ピックアップＯＰ内におけるシフトレンズ１４Ａ、ビームシフタ１４Ｂ、可動レンズ１５、レンズ駆動部１６、ダイクロイックミラー１９、対物レンズ２０、及び２軸アクチュエータ２１を抽出して示している。
【００９２】
補正量のサンプリングを行うにあたっては、先ず、サーボ用レーザ光の反射光に基づき、サーボ用レーザ光が基準面Ｒｅｆにおける基準トラックＴＲ-rfを追従するように対物レンズ２０のトラッキングサーボ制御を行う。
そして、その状態において、ビームシフタ１４Ｂの駆動により、録再用レーザ光の反射光に基づき録再用レーザ光がバルク層５内の基準トラックＴＲ-blを追従するようにトラッキングサーボ制御を行う。
なおこのとき、録再光用フォーカス機構（レンズ駆動部１６）によっては、基準トラックＴＲ-blの形成層を選択させる。具体的にこの場合は、情報記録層位置Ｌ３を選択させるものとなる。
【００９３】
このようにして、基準トラックＴＲ-blを利用して録再用レーザ光とサーボ用レーザ光のスポット位置をトラッキング方向において強制的に一致させる。すなわち、各スポットのトラッキング方向における位置が一致した、いわば理想的な補正状態を得るものである。
【００９４】
このように各スポット位置を一致させた状態において、コントローラ４０は、位置情報検出部３７により検出される絶対位置情報に基づき、位置センサ３１による位置検出信号ｐｓ-shの値（つまりシフトレンズ１４Ａの補正量）を、バルク型記録媒体１の回転角度ごと（つまり絶対位置情報として検出される回転角度の値ごと）にサンプリングする。
【００９５】
コントローラ４０は、このようにして回転角度ごとにサンプリングした補正量の値に基づき、次の図６に示されるようなテーブル情報を作成する。
図６に示されるように、該テーブル情報としては、回転角度ごとにサンプリングした補正量の値を格納した情報となる。具体的にこの場合は、回転角度１°ごとに、サンプリングした補正量の値を対応づけるものとしている。
テーブル情報の作成は、例えばコントローラ４０の内部に備えられるメモリにおいて行う。
【００９６】
バルク層５への情報記録を行う際には、このように作成したテーブル情報を用いて情報記録位置のずれを補正する。具体的にコントローラ４０は、バルク層５への記録を開始すべき状態となったことに応じて、位置情報検出部３７から供給される絶対位置情報（回転角度情報）と上記テーブル情報の内容とに基づき、ドライバ３９に対する、バルク型記録媒体１の回転角度に対応する補正量の値の指示を開始する。すなわち、バルク型記録媒体１の回転角度ごとに、予めサンプリングした補正量の値を用いた補正動作が実行されるようにするものである。
【００９７】
ここで、上記により説明したような補正量のサンプリング動作は、例えばディスク装填後のスタートアップ動作時や、記録動作開始の直前などに予め行っておくことを挙げることができる。或いは、所定時間おきに実行するといったことも考えられる。何れにしても補正量のサンプリング動作は、バルク層５に対する記録動作の開始前において予め行われるようにしておく。
【００９８】
＜４．処理手順＞
図７、図８は、上記により説明した実施の形態としての補正動作を実現するための具体的な処理の手順について説明するためのフローチャートである。
図７は、補正量のサンプリング時に対応して実行されるべき処理の手順について示し、図８は、サンプリングした補正量に基づく補正動作時に対応して実行されるべき処理の手順を示している。
なお、これら図７、図８では、実施の形態としての補正動作を実現するための具体的な処理手順を、コントローラ４０が内部のＲＯＭ等の所定のメモリに格納されたプログラムに基づき実行する処理の手順として示している。
【００９９】
先ず図７において、ステップＳ１０１においては、サーボ用レーザ光で基準トラックＴＲ-rf付近にシークするための処理を実行する。すなわち、サーボ光用サーボ回路３８に対するシーク動作制御として、基準面Ｒｅｆにおける予め定められた基準トラックＴＲ-rf付近のアドレスを目標としたシーク動作制御を行う。
【０１００】
続くステップＳ１０２では、録再用レーザ光の基準トラックＴＲ-blへのトラッキングサーボ引き込みを行うための処理を実行する。つまり、録再光用サーボ回路３５に対する指示により、トラッキング駆動信号ＴＤ-rpの出力先をドライバ３９側に選択させる（ビームシフタ１４Ｂを録再用レーザ光の反射光に基づき駆動可能な状態とする）と共に、トラッキングサーボループをオンとするように指示を行うものである。
ここで、サーボ用レーザ光（対物レンズ２０）が基準トラックＴＲ-rf付近にシークしていることに応じては、録再用レーザ光のスポット位置としても基準トラックＴＲ-bl付近に位置していることになる。従ってステップＳ１０２において上記のような録再用レーザ光についてのトラッキングサーボ引き込み指示を行うことで、（数回のリトライを要する可能性があるが）録再用レーザ光のスポット位置を基準トラックＴＲ-blに引き込むことができる。
なお、サーボ用レーザ光が基準トラックＴＲ-rfに到達した後に、基準トラックＴＲ-blに対する録再用レーザ光のトラッキングサーボ引き込み指示を行うようにすることもできる。
【０１０１】
次のステップＳ１０３では、サーボ用レーザ光が基準トラックＴＲ-rfに到達するまで待機する。
そして、該ステップＳ１０３において、サーボ用レーザ光が基準トラックＴＲ-rfに到達したとして肯定結果が得られた場合は、ステップＳ１０４において、ビームシフタ移動量を回転角度ごとにサンプリングし、テーブル情報を作成する。
すなわち、位置情報検出部３７より供給される回転角度情報に基づき、バルク型記録媒体１の回転角度ごとに位置センサ３１による位置検出信号ｐｓ-shの値をサンプリングし、それら回転角度の値と位置検出信号ｐｓ-sh（補正量）の値とを対応づけて先の図６に示したようなテーブル情報を作成するものである。
当該ステップＳ１０４の処理の実行を以て、この図に示す補正量のサンプリング時に対応した一連の処理は終了となる。
【０１０２】
続いて、図７により、サンプリングした補正量に基づく補正動作時に対応して実行されるべき処理の手順について説明する。
図７において、先ずステップＳ２０１では、記録開始位置に到達するまで待機するようにされる。そして、記録開始位置に到達した場合には、ステップＳ２０２において、回転角度に応じた補正量の出力を開始する。すなわち、位置情報検出部３７より供給される回転角度情報と先のステップＳ１０４にて予め作成したテーブル情報の内容とに基づき、ドライバ３９に対する、バルク型記録媒体１の回転角度に対応する補正量の値の指示を開始するものである。
【０１０３】
続くステップＳ２０３では、記録を終了すべき状態となるまで待機する。記録を終了すべき状態となった場合は、この図に示す補正動作時の対応処理は終了となる。
【０１０４】
＜５．まとめ＞
上記により説明したように、本実施の形態では、バルク型記録媒体１に形成されたバルク層内基準トラックＴＲ-blを用いて、上記録再用レーザ光とサーボ用レーザ光のスポット位置をトラッキング方向において強制的に一致させた状態にて、バルク型記録媒体１の回転角度ごとに必要とされる光軸補正量（位置センサ３１による位置検出信号ｐｓ-shの値）をサンプリングするものとしている。そして、記録時には、このようにサンプリングした回転角度ごとの必要補正量の情報に基づきビームシフタ１４Ｂを駆動制御することで、スポット位置ずれの補正を行うものとしている。
このような補正動作とすることで、スポット位置ずれの補正にあたりｓｋｅｗ量や対物レンズのレンズシフト量を検出するための構成を省略することができると共に、録再用レーザ光による情報記録位置の補正を、実際にサンプリングした補正量に基づいてより高精度に行うことができる。
ｓｋｅｗ・レンズシフト量を検出するための構成が不要となることで、装置の小型化やコストダウンが図られる。
【０１０５】
また、情報記録位置の補正をより高精度に行うことができれば、その分、基準面Ｒｅｆにおけるトラックピッチ（半径方向における位置案内子の形成間隔）は狭めることができ、その結果、記録容量の増大化が図られる。
【０１０６】
また、トラックピッチを狭めることができることで、その分、アクセス時間の短縮化も図られる。つまり、トラックピッチが広い場合は、記録したデータ列の探索に多くの時間を要するものとなるが、本実施の形態によればこれが緩和され、アクセス時間の短縮化が図られる。
【０１０７】
＜６．変形例＞
以上、本発明の実施の形態について説明したが、本発明としてはこれまでで説明した具体例に限定されるべきものではない。
例えばこれまでの説明では、バルク層５内における基準トラックＴＲ-blが１つの層位置に対してのみ形成される場合を例示したが、次の図９に示されるように、基準トラックＴＲ-blは複数の層位置に対して設けることもできる。
この図９の例では、基準トラックＴＲ-blは各情報記録層位置Ｌごとに設けるものとしている。図のように情報記録層位置Ｌ１に形成される基準トラックＴＲ-blは基準トラックＴＲ-bl_L1としている。他の基準トラックＴＲ-blについても同様に、形成される層位置Ｌに応じて基準トラックＴＲ-bl_L2、基準トラックＴＲ-bl_L3、基準トラックＴＲ-bl_L4、基準トラックＴＲ-bl_L5とする。
【０１０８】
この場合、補正量のサンプリング動作としては、各情報記録層位置Ｌごとに行う。具体的には、記録対象とする情報記録層位置Ｌｎに形成された基準トラックＴＲ-bl_Lnを用いて、先の図７に示したものと同様の処理を行うことで、各層位置Ｌごとの補正量のサンプリング（テーブル情報の作成）を行う。
これにより、バルク層５への多層記録を行う場合において、各情報記録層位置Ｌに応じた適正な補正量に基づく情報記録位置ずれの補正を行うことができる。
【０１０９】
なお、このように各情報記録層位置Ｌに応じた適正な補正量を用いた情報記録位置の補正を行うにあたっては、必ずしも各情報記録層位置Ｌに基準トラックＴＲ-blを設けておく必要性はない。例えばバルク層５に対し３層以上の多層記録を行う場合において、少なくとも最上層となる情報記録層位置（Ｌ１）と最下層となる情報記録層位置（Ｌ５）に対してのみ基準トラックＴＲ-blを形成しておいた上で、上記最上層でのサンプリング動作で取得した回転角度ごとの補正量と上記最下層でのサンプリング動作で取得した回転角度ごとの補正量とを線形補間して残りの各情報記録層位置Ｌで使用する回転角度ごとの補正量を求めるといった手法を採ることもできる。つまりこの場合、基準トラックＴＲ-blが非形成とされる情報記録層位置Ｌへの記録時には、このように線形補間により求めた回転角度ごとの補正量の情報を用いてスポット位置ずれの補正を行うものである。
【０１１０】
或いは、バルク層５を、深さ方向において複数の情報記録層位置Ｌごとのエリア（層方向エリアとする）に分割し、各層方向エリア内の所定の情報記録層位置Ｌに対してのみ基準トラックＴＲ-blを形成しておくといった手法を採ることもできる。つまり、或る層方向エリア内の所定の情報記録層位置Ｌに形成された基準トラックＴＲ-blを用いたサンプリング動作で取得した回転角度ごとの補正量を、その層方向エリア内の他の情報記録層位置Ｌにおいて共用するというものである。
【０１１１】
また、基準トラックＴＲ-blは、図１０に示されるようにして半径方向に複数設けることもできる。
この図１０では、内周、中周、外周の３箇所に基準トラックＴＲ-blを形成（基準トラックＴＲ-rfを設定）した場合を例示している。図のように内周側から順に基準トラックＴＲ-bl1（ＴＲ-rf1）、基準トラックＴＲ-bl2（ＴＲ-rf2）、基準トラックＴＲ-bl3（ＴＲ-rf3）とする。
ここで、半径位置が異なると、最適とされる補正量（offset，gain）が異なる場合がある。そこで、半径方向のエリアごとに補正量のサンプリングを行うものとすれば、このように半径位置に応じて最適とされる補正量が異なる場合にも、エリアごとに最適とされる補正量を用いたスポット位置ずれ補正を実現することができ、補正精度を向上できる。
具体的な手法としては、この場合も図９にて説明した深さ方向の場合と同様の考え方に基づき、１つの半径方向エリアにつき１つの基準トラックＴＲ-blが含まれるように半径方向エリアを分割し（図の例では内周／中周／外周の各エリアに分割し）、各半径方向エリアごとに、そのエリア内の基準トラックＴＲ-blを用いたサンプリング動作で取得した回転角度ごとの補正量を使用するといった手法を採ることができる。
或いは、例えば最内周位置と最外周位置など内周側の所定半径位置と外周側の所定半径位置との２箇所のみに基準トラックＴＲ-blを形成しておき、それら２箇所でのサンプリング動作を行って取得した回転角度ごとの補正量を線形補間して各半径位置での回転角度ごとの補正量を算出・使用するといった手法を採ることもできる。
【０１１２】
また、これまでの説明では、補正量のサンプリングを回転角度１°ごとに行う場合を例示したが、例えば２°や５°などといった他の所定の回転角度ごとに行うこともできる。
【０１１３】
またこれまでの説明では、補正量を回転角度ごとにサンプリングするにあたり、光ディスク記録媒体（基準面）に記録された回転角度情報を利用する場合を例示したが、例えば光ディスク記録媒体を回転駆動するスピンドルモータの回転角度を検出する回転角度検出部を設け、該回転角度検出部により検出される回転角度情報に基づいて回転角度ごとの補正量のサンプリングを行うようにするといったこともできる。
【０１１４】
また、これまでの説明では、ビームシフタ１４Ｂによりシフトレンズ１４Ａをシフトさせてスポット位置ずれの補正（光軸の調整）を行う場合を例示したが、録再用レーザ光とサーボ用レーザ光とのスポット位置ずれは、例えばガルバノミラーなどの他の手段で補正することもできる。
【０１１５】
また、これまでの説明では、スポット位置ずれの補正は、録再用レーザ光側の光軸を調整することで行う場合を例示したが、サーボ用レーザ光側の光軸を調整することによってもスポット位置ずれの補正を行うことができる。つまりこの場合は、サーボ用レーザ光の光軸をずらした分、対物レンズ２０が動き、それによって録再用レーザ光のスポット位置が補正されるようになるものである。
なお、このようにサーボ用レーザ光側の光軸を調整する光軸調整部によりスポット位置ずれの補正を行う構成とする場合、サンプリング動作時に各スポット位置を強制的に一致させるためには、サーボ用レーザ光の反射光に基づく対物レンズ２０のトラッキングサーボ制御によってサーボ用レーザ光を基準トラックＴＲ-rfに追従させつつ、録再用レーザ光の反射光に基づく上記サーボ用レーザ光側の光軸調整部のトラッキングサーボ制御を行うことにより、録再用レーザ光を基準トラックＴＲ-blに追従させることになる。
なお上記説明からも理解されるように、本発明において、スポット位置ずれを補正するための光軸調整部は、録再用レーザ光とサーボ用レーザ光の光軸の相対的な位置関係を変化させることができるように構成されたものであればよい。
【０１１６】
また、これまでの説明では、シフトレンズ１４Ａの移動量（スポット位置ずれの補正量）の検出を位置センサ３１を用いて行う場合を例示したが、シフトレンズ１４Ａの移動量の検出は例えばビームシフタ１４Ｂの駆動信号に基づき検出する手法なども採ることができ、特に一手法に限定されるべきものではない。
【０１１７】
また、これまでの説明では、バルク型記録媒体１を対象として情報記録を行う場合に本発明を適用する場合を例示したが、本発明は、図１１に示されるような多層記録媒体５０に対する記録を行う場合にも好適に適用することができる。
図１１において、多層記録媒体５０は、上層側から順にカバー層２、選択反射膜３、及び中間層４が形成される点は図１に示したバルク型記録媒体１と同様となるが、この場合はバルク層５に代えて、図のように半透明記録膜５１と中間層４とが所定回数繰り返し積層された層構造を有する記録層が積層される。図のように最下層に形成された半透明記録膜５１は、基板５２上に積層されている。なお、最下層に形成される記録膜については全反射記録膜を用いることができる。
ここで、注意すべきは、上記半透明記録膜５１には、グルーブやピット列の形成に伴う位置案内子が形成されていないという点である。つまりこの多層記録媒体５０としても、スパイラル状又は同心円状の位置案内子は、基準面Ｒｅｆとしての１つの層位置に対してのみ形成されているものである。
そこでこの場合には、記録層内の所要の半透明記録膜５１に対し、基準面Ｒｅｆ上に設定した所定のトラックと同一半径位置となる位置においてマーク形成による基準トラックを予め形成しておき、該基準トラックを用いて、補正量のサンプリングを行う。
【０１１８】
なお、このような多層記録媒体５０の記録層においては、反射膜として機能する半透明記録膜５１が形成されているため、記録時においても録再用レーザ光の反射光を用いたフォーカス制御を行うことができる。
すなわち、この場合の記録時において、録再用レーザ光についてのフォーカスサーボ制御は、当該録再光用レーザ光の反射光に基づいて対物レンズ２０を駆動することで、記録対象とする半透明記録膜５１に合焦させるようにして行うことになる。
一方、記録時における録再用レーザ光のトラッキングサーボ制御に関しては、この場合もサーボ用レーザ光を用いて行うことになる。すなわち、この場合としても、記録時におけるトラッキングサーボ制御は、サーボ用レーザ光の基準面Ｒｅｆからの反射光に基づき対物レンズ２０を駆動することで、当該サーボ用レーザ光の焦点位置が基準面Ｒｅｆの案内溝に追従するようにして行う。
【０１１９】
また、再生時には、この場合も既に記録されたマーク列に基づいて録再用レーザ光のトラッキングサーボ制御を行うことができる。また、上記説明からも理解されるように、再生時においても、録再用レーザ光のフォーカスサーボ制御は、対象とする半透明記録膜５１（情報記録層Ｌ）からの反射光を利用して行うことができる。
つまりこの場合、再生時におけるサーボ制御は、実施の形態の場合と同様の手法で行うことになる。すなわち、再生時における録再用レーザ光のフォーカスサーボ制御は、録再用レーザ光の反射光に基づき、当該録再光用サーボ光が対象とする情報記録層Ｌに合焦するように対物レンズ２０を駆動することで行い、また録再用レーザ光のトラッキングサーボ制御は、録再用レーザ光の反射光に基づき、当該録再光用サーボ光の焦点位置が記録済みマーク列を追従するように対物レンズ２０を駆動することで行う。
【０１２０】
なお確認のために述べておくと、このような多層記録媒体５０を対象とする場合も、スポット位置ずれの補正手法や補正量のサンプリング手法自体はこれまでで説明したものと同様となる。
【０１２１】
またこれまでの説明では、光ディスク記録媒体に対する位置案内子の形成が、グルーブやピット列などの凹凸断面形状パターンの付与により行われる場合を例示したが、本発明における光ディスク記録媒体が有する位置案内子は、例えばマーク列の記録などの他の手法により形成されたものであってもよい。
【０１２２】
またこれまでの説明では、位置案内子が形成された基準面Ｒｅｆが、記録層よりも上層側に形成される場合を例示したが、基準面Ｒｅｆが記録層よりも下層側に形成される場合にも本発明は好適に適用できる。
【０１２３】
また、これまでの説明では、録再用レーザ光とサーボ用レーザ光のそれぞれの反射光を装置側で独立して受光するにあたり、ダイクロイックプリズム１９を設けて、それぞれの光の波長の違いを利用して分光を行う手法を例示したが、これに代えて、例えばｐ偏光／ｓ偏光などの偏光方向の違いを利用した分光を行う構成を採るなど、他の手法により分光を行うようにすることもできる。
【０１２４】
またこれまでの説明では、本発明が光ディスク記録媒体に対する記録及び再生の双方を行う記録再生装置に適用される場合を例示したが、本発明は光ディスク記録媒体に対する記録のみが可能とされた記録専用装置（記録装置）にも好適に適用できる。
【符号の説明】
【０１２５】
１  バルク型記録媒体、２  カバー層、３  選択反射膜、Ｒｅｆ  基準面、４  中間層、５  バルク層、Ｌ  マーク形成層位置（情報記録層位置）、ＴＲ-rf  基準面上基準トラック、ＴＲ-bl  バルク層内基準トラック、１０  記録再生装置、１１  録再用レーザ、１２,２５  コリメーションレンズ、１３,２６  偏光ビームスプリッタ、１４Ａ  シフトレンズ、１４Ｂ  ビームシフタ（レンズ駆動部）、１５  可動レンズ、１６  レンズ駆動部、１７  ミラー、１８,２７  １／４波長板、１９  ダイクロイックプリズム、２０  対物レンズ、２１  ２軸アクチュエータ、２２,２８  集光レンズ、２３  録再光用受光部、２４  サーボ用レーザ、２９  サーボ光用受光部、３１  位置センサ、３２  記録処理部、３３  録再光用マトリクス回路、３４  再生処理部、３５  録再光用サーボ回路、３６  サーボ光用マトリクス回路、３７  位置情報検出部、３８  サーボ光用サーボ回路、３９  ドライバ、４０  コントローラ、５０  多層記録媒体、５１  半透明記録膜、５２  基板
【図１】
2011198424.tif 000003
【図２】
2011198424.tif 000004
【図３】
2011198424.tif 000005
【図４】
2011198424.tif 000006
【図５】
2011198424.tif 000007
【図６】
2011198424.tif 000008
【図７】
2011198424.tif 000009
【図８】
2011198424.tif 000010
【図９】
2011198424.tif 000011
【図１０】
2011198424.tif 000012
【図１１】
2011198424.tif 000013
【図１２】
2011198424.tif 000014
【図１４】
2011198424.tif 000015
【図１５】
2011198424.tif 000016
【図１６】
2011198424.tif 000017
【図１７】
2011198424.tif 000018
【図１８】
2011198424.tif 000019
【図１９】
2011198424.tif 000020
【図２０】
2011198424.tif 000021
【図１３】
2011198424.tif 000022